Podtech/llm-jp-corpus-v4-ja_patent huggingface dataset:
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
受電装置であって、
電池と、
送電装置から無線で電力を受電する受電手段と、
前記送電装置と通信する通信手段と、
自身の存在を周囲の装置に通知するための信号を前記通信手段を用いて発信し、前記信号に応答して送信される接続要求を受け付ける第一のモードと、外部装置から発信される前記自身の存在を周囲の装置に通知するための信号を受信することで前記外部装置の存在を検知し、前記外部装置に対して接続要求を送信する第二のモードと、を制御する制御手段と、を有し、
前記制御手段が、前記受電装置を前記第二のモードで制御している状態で、前記送電装置が電力を供給する相手を検知するために前記送電装置から発される電磁波によって誘導された電力が前記受電手段を介して検出された場合、前記制御手段は、前記受電装置を前記第一のモードで制御する、ことを特徴とする受電装置。
【請求項２】
前記電池の残量が所定量以上である場合、前記制御手段は、前記第一のモードで制御しない、ことを特徴とする請求項１に記載の受電装置。
【請求項３】
前記電池の電圧が第一の閾値以上である場合、前記制御手段は、第一のモードで制御しない、ことを特徴とする請求項１に記載の受電装置。
【請求項４】
前記第一の閾値は、前記制御手段と前記通信手段が前記電池の電力を用いて動作することを可能とする電圧である、ことを特徴とする請求項３に記載の受電装置。
【請求項５】
前記制御手段は、前記通信手段を無効にする第三のモードを制御する機能を持ち、
前記電池の残量が所定値よりもさらに低い第二の閾値以下である場合、第三のモードで制御する、ことを特徴とする請求項１に記載の受電装置。
【請求項６】
前記送電装置とは異なる他の装置との接続が確立している状態で、前記送電装置が電力を供給する相手を検知するために前記送電装置から発される電磁波によって誘導された電力が前記受電手段を介して検出された場合、前記制御手段は、前記他の装置との接続を切断するよう前記通信手段を制御する、ことを特徴とする請求項１から５のいずれか１項に記載の受電装置。
【請求項７】
前記送電装置とは異なる他の装置との接続が確立している状態で、前記送電装置が電力を供給する相手を検知するために前記送電装置から発される電磁波によって誘導された電力が前記受電手段を介して検出された場合、前記制御手段は、前記第二のモードでの制御から前記第一のモードでの制御に切り替える前に前記他の装置との接続を切断するよう前記通信手段を制御する、ことを特徴とする請求項１から５のいずれか１項に記載の受電装置。
【請求項８】
前記送電装置との接続が確立している状態では、前記制御手段は、前記通信手段を介して、前記送電装置から送電される電力を受信するための情報を送信する、ことを特徴とする請求項１から７のいずれか１項に記載の受電装置。
【請求項９】
前記送電装置との接続が確立している状態で前記制御手段が前記通信手段を介して前記送電装置から送電される電力を受信するための情報を送信した後に前記制御手段は、さらに近接無線通信手段を介して前記送電装置から電力を受電するための制御を実行する、ことを特徴とする請求項８に記載の受電装置。
【請求項１０】
前記制御手段は、前記通信手段が準拠する通信において定められた役割を切り換えることにより、前記第一のモードでの制御と前記第二のモードでの制御を切り替える、ことを特徴とする請求項１から９のいずれか１項に記載の受電装置。
【請求項１１】
電池と、送電装置から無線で電力を受電する受電手段と、前記送電装置と通信する通信手段と、を有する受電装置の制御方法であって、
自身の存在を周囲の装置に通知するための信号を前記通信手段を用いて発信し、前記信号に応答して送信される接続要求を受け付ける第一のモードと、外部装置から発信される前記自身の存在を周囲の装置に通知するための信号を受信することで前記外部装置の存在を検知し、前記外部装置に対して接続要求を送信する第二のモードと、を制御する制御ステップを有し、
前記制御ステップでは、前記受電装置を前記第二のモードで制御している状態で、前記送電装置が電力を供給する相手を検知するために前記送電装置から発される電磁波によって誘導された電力が前記受電手段を介して検出された場合、前記受電装置を前記第一のモードで制御する、ことを特徴とする受電装置の制御方法。
【請求項１２】
コンピュータを、請求項１から１０のいずれか１項に記載の受電装置の各手段として機能させるためのプログラム。
【手続補正２】
【補正対象書類名】明細書
【補正対象項目名】０００９
【補正方法】変更
【補正の内容】
【０００９】
この課題を解決するため、例えば本発明の受電装置は以下の構成を備える。すなわち、受電装置であって、電池と、送電装置から無線で電力を受電する受電手段と、送電装置と通信する通信手段と、自身の存在を周囲の装置に通知するための信号を通信手段を用いて発信し、信号に応答して送信される接続要求を受け付ける第一のモードと、外部装置から発信される自身の存在を周囲の装置に通知するための信号を受信することで外部装置の存在を検知し、外部装置に対して接続要求を送信する第二のモードと、を制御する制御手段と、を有し、制御手段が、受電装置を第二のモードで制御している状態で、送電装置が電力を供給する相手を検知するために送電装置から発される電磁波によって誘導された電力が受電手段を介して検出された場合、制御手段は、受電装置を第一のモードで制御する、ことを特徴とする。
【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
画像通信装置であって、
画像データに基づいて画像を印刷する印刷手段と、
サービスマンがメンテナンスの目的で印刷を行う動作モードに前記画像通信装置を移行させる制御手段と、
画像データをファクシミリ受信するファクシミリ受信手段と、
記憶手段とを有し、
前記画像通信装置が前記動作モードにある状態で前記印刷手段によって印刷される画像は特定のパターンとともに印刷され、
前記画像通信装置が前記動作モードにある状態で前記ファクシミリ受信手段が画像データを受信したことに従って、前記印刷手段は当該画像データを印刷せずに、前記画像データは前記記憶手段に保持されることを特徴とする画像通信装置。
【請求項２】
前記動作モードの解除に従って、前記印刷手段は、前記記憶手段に記憶された前記画像データを印刷することを特徴とする請求項１に記載の画像通信装置。
【請求項３】
画像通信装置であって、
画像データに基づいて画像を印刷する印刷手段と、
サービスマンがメンテナンスの目的で印刷を行う動作モードに前記画像通信装置を移行させる制御手段と、
画像データのＰＯＰ受信を実行するＰＯＰ受信手段とを有し、
前記画像通信装置が前記動作モードにある状態で前記印刷手段によって印刷される画像は特定のパターンとともに印刷され、
前記画像通信装置が前記動作モードにある間、前記ＰＯＰ受信手段は前記ＰＯＰ受信を実行しないことを特徴とする画像通信装置。
【請求項４】
前記画像通信装置は原稿の画像を読み取って、当該画像を印刷するコピー機能を有し、前記画像通信装置が前記動作モードにあるときに前記印刷手段は前記コピー機能の印刷は実行可能であることを特徴とする請求項１又は２に記載の画像通信装置。
【請求項５】
前記画像通信装置が前記動作モードにあることを示す情報を表示する表示手段を、更に有することを特徴とする請求項１乃至４のいずれか１項に記載の画像通信装置。
【請求項６】
操作部を、更に有し、
前記制御手段は、前記操作部を介した指示に従って、前記動作モードに前記画像通信装置を移行させることを特徴とする請求項１乃至５のいずれか１項に記載の画像通信装置。
【請求項７】
前記画像通信装置が前記動作モードにない状態では、前記印刷手段が前記画像を印刷したときにユーザに対する課金は実行され、前記画像通信装置が前記動作モードにある状態では、前記印刷手段が前記画像を印刷したときにユーザに対する課金は実行されないことを特徴とする請求項１乃至６のいずれか１項に記載の画像通信装置。
【請求項８】
ファクシミリ装置であって、
画像データに基づいて画像を印刷する印刷手段と、
サービスマンがメンテナンスの目的で印刷を行う動作モードに前記ファクシミリ装置を移行させる制御手段と、
画像データをファクシミリ受信するファクシミリ受信手段とを有し、
前記ファクシミリ装置が前記動作モードにある状態で前記印刷手段によって印刷される画像は特定のパターンとともに印刷され、
前記ファクシミリ装置が前記動作モードにある状態で着呼を検知した場合に、前記ファクシミリ受信手段は前記画像データを受信しないことを特徴とするファクシミリ装置。
【請求項９】
画像データに基づいて画像を印刷する印刷手段と、画像データをファクシミリ受信するファクシミリ受信手段と、記憶手段とを有する画像通信装置を制御する制御方法であって、
サービスマンがメンテナンスの目的で印刷を行う動作モードに前記画像通信装置を移行させる工程と、
前記画像通信装置が前記動作モードにある状態で前記印刷手段によって画像を印刷する際は、当該画像を特定のパターンとともに印刷する工程と、
前記画像通信装置が前記動作モードにある状態で前記ファクシミリ受信手段が画像データを受信したことに従って、前記印刷手段により当該画像データを印刷せずに、前記画像データを前記記憶手段に保持する工程と、
を有することを特徴とする制御方法。
【請求項１０】
画像データに基づいて画像を印刷する印刷手段と、画像データのＰＯＰ受信を実行するＰＯＰ受信手段とを有する画像通信装置を制御する制御方法であって、
サービスマンがメンテナンスの目的で印刷を行う動作モードに前記画像通信装置を移行させる工程と、
前記画像通信装置が前記動作モードにある状態で前記印刷手段によって画像を印刷する際は、当該画像を特定のパターンとともに印刷する工程と、
前記画像通信装置が前記動作モードにある間、前記ＰＯＰ受信手段が前記ＰＯＰ受信を実行しないようにする工程と、
を有することを特徴とする制御方法。
【請求項１１】
画像データに基づいて画像を印刷する印刷手段と、画像データをファクシミリ受信するファクシミリ受信手段とを有するファクシミリ装置を制御する制御方法であって、
サービスマンがメンテナンスの目的で印刷を行う動作モードに前記ファクシミリ装置を移行させる工程と、
前記ファクシミリ装置が前記動作モードにある状態で前記印刷手段によって画像を印刷する際は、当該画像を特定のパターンとともに印刷する工程と、
前記ファクシミリ装置が前記動作モードにある状態で着呼を検知した場合は、前記ファクシミリ受信手段が前記画像データを受信しないよう制御する工程と、
を有することを特徴とする制御方法。
【手続補正２】
【補正対象書類名】明細書
【補正対象項目名】発明の名称
【補正方法】変更
【補正の内容】
【発明の名称】画像通信装置とファクシミリ装置、及びそれらの制御方法
【手続補正３】
【補正対象書類名】明細書
【補正対象項目名】０００１
【補正方法】変更
【補正の内容】
【０００１】
本発明は、画像通信装置とファクシミリ装置、及びそれらの制御方法に関する。
【手続補正４】
【補正対象書類名】明細書
【補正対象項目名】０００６
【補正方法】変更
【補正の内容】
【０００６】
本願の請求項１に係る発明の目的は、サービスマンがメンテナンスの目的で印刷を行う動作モードで、ファクシミリ受信した画像に特定のパターンが印刷されることを抑制する仕組みを提供することにある。
【手続補正５】
【補正対象書類名】明細書
【補正対象項目名】０００７
【補正方法】変更
【補正の内容】
【０００７】
上記目的を達成するために本発明の一態様に係る画像通信装置は以下のような構成を備える。即ち、
画像通信装置であって、
画像データに基づいて画像を印刷する印刷手段と、
サービスマンがメンテナンスの目的で印刷を行う動作モードに前記画像通信装置を移行させる制御手段と、
画像データをファクシミリ受信するファクシミリ受信手段と、
記憶手段とを有し、
前記画像通信装置が前記動作モードにある状態で前記印刷手段によって印刷される画像は特定のパターンとともに印刷され、
前記画像通信装置が前記動作モードにある状態で前記ファクシミリ受信手段が画像データを受信したことに従って、前記印刷手段は当該画像データを印刷せずに、前記画像データは前記記憶手段に保持されることを特徴とする。
【手続補正６】
【補正対象書類名】明細書
【補正対象項目名】０００８
【補正方法】変更
【補正の内容】
【０００８】
本願の請求項１に係る発明によれば、サービスマンがメンテナンスの目的で印刷を行う動作モードで、ファクシミリ受信した画像に特定のパターンが印刷されることを抑制することができるという効果がある。
【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
監視エリアを示すマップを構成する複数の小領域のうち、第１の監視効果を表す第１のスコアが規定値未満の小領域、第２の監視効果を表す第２のスコアが規定値未満の小領域、を順次選択する選択手段と、
前記選択手段が選択した小領域と、該小領域についてユーザが設定した前記第１のスコアと、に基づく前記マップ上の位置を、該マップ上におけるカメラの配置位置として特定する特定手段と、
前記配置位置におけるカメラの視界範囲内に属する各小領域の前記第１のスコアに対して、該配置位置における前記第１の監視効果を表す前記第１のスコアを加算する第１の設定手段と、
前記配置位置におけるカメラの視界範囲内に属する各小領域の前記第２のスコアに対して、該配置位置における前記第２の監視効果を表す前記第２のスコアを加算する第２の設定手段と、
前記第１のスコアが規定値未満である小領域の前記選択手段による選択順ごとに前記特定手段によって特定される前記マップ上におけるカメラの配置レイアウトのうち１以上を、前記第１の設定手段および前記第２の設定手段によって決定した前記マップにおける各小領域の前記第１のスコア及び前記第２のスコアに基づいて選択して出力する出力手段と
を備えることを特徴とする情報処理装置。
【請求項２】
前記特定手段は、カメラと監視対象オブジェクトとの間の距離と、該距離に対応する前記第１のスコアと、の関係を示す情報を用いて、前記ユーザが設定した前記第１のスコアに対応する距離を取得し、前記選択手段が選択した小領域を中心とし、該取得した距離を半径とする円の内側の領域内でカメラの配置位置を特定することを特徴とする請求項１に記載の情報処理装置。
【請求項３】
前記出力手段は、前記第１のスコアが規定値未満である小領域の前記選択手段による選択順ごとに前記特定手段によって特定される前記マップ上におけるカメラの配置レイアウトのうち、前記第１の設定手段および前記第２の設定手段によって決定した前記マップにおける各小領域の前記第１のスコア及び前記第２のスコアの総和が大きい順に上位から１つ以上を選択して出力することを特徴とする請求項１又は２に記載の情報処理装置。
【請求項４】
更に、
前記出力手段が選択した配置レイアウトで前記マップ上に配置されるそれぞれのカメラについて、該カメラを配置しない場合における前記第１のスコア及び前記第２のスコアの総和を求め、該それぞれのカメラについて求めた総和に基づいて、該それぞれのカメラの優先順位を求める手段を備えることを特徴とする請求項１乃至３の何れか１項に記載の情報処理装置。
【請求項５】
前記出力手段は更に、前記優先順位を出力することを特徴とする請求項４に記載の情報処理装置。
【請求項６】
前記選択手段は、前記第１の監視効果を表す第１のスコアが規定値未満の小領域を選択してから前記特定手段、前記第１の設定手段、前記第２の設定手段の処理が終わると、前記第２の監視効果を表す第２のスコアが規定値未満の小領域を選択することを特徴とする請求項１乃至５の何れか１項に記載の情報処理装置。
【請求項７】
前記第１の監視効果は、カメラによる撮影映像上の監視対象オブジェクトのサイズであり、前記第２の監視効果は、カメラによる事象の抑止効果であることを特徴とする請求項１乃至６の何れか１項に記載の情報処理装置。
【請求項８】
カメラによる撮影映像上の監視対象オブジェクトのサイズが第１のサイズ以上となるような該カメラと該監視対象オブジェクトとの間の距離に対する前記第１のスコアは、カメラによる撮影映像上の監視対象オブジェクトのサイズが前記第１のサイズよりも小さい第２のサイズとなるような該カメラと該監視対象オブジェクトとの間の距離に対する前記第１のスコアよりも大きいことを特徴とする請求項１乃至７の何れか１項に記載の情報処理装置。
【請求項９】
情報処理装置が行う情報処理方法であって、
前記情報処理装置の選択手段が、監視エリアを示すマップを構成する複数の小領域のうち、第１の監視効果を表す第１のスコアが規定値未満の小領域、第２の監視効果を表す第２のスコアが規定値未満の小領域、を順次選択する選択工程と、
前記情報処理装置の特定手段が、前記選択工程で選択した小領域と、該小領域についてユーザが設定した前記第１のスコアと、に基づく前記マップ上の位置を、該マップ上におけるカメラの配置位置として特定する特定工程と、
前記情報処理装置の第１の設定手段が、前記配置位置におけるカメラの視界範囲内に属する各小領域の前記第１のスコアに対して、該配置位置における前記第１の監視効果を表す前記第１のスコアを加算する第１の設定工程と、
前記情報処理装置の第２の設定手段が、前記配置位置におけるカメラの視界範囲内に属する各小領域の前記第２のスコアに対して、該配置位置における前記第２の監視効果を表す前記第２のスコアを加算する第２の設定工程と、
前記情報処理装置の出力手段が、前記第１のスコアが規定値未満である小領域の前記選択工程による選択順ごとに前記特定工程で特定される前記マップ上におけるカメラの配置レイアウトのうち１以上を、前記第１の設定工程および前記第２の設定工程で決定した前記マップにおける各小領域の前記第１のスコア及び前記第２のスコアに基づいて選択して出力する出力工程と
を備えることを特徴とする情報処理方法。
【請求項１０】
コンピュータを、請求項１乃至８の何れか１項に記載の情報処理装置の各手段として機能させるためのコンピュータプログラム。
【手続補正２】
【補正対象書類名】明細書
【補正対象項目名】０００７
【補正方法】変更
【補正の内容】
【０００７】
本発明の一様態は、監視エリアを示すマップを構成する複数の小領域のうち、第１の監視効果を表す第１のスコアが規定値未満の小領域、第２の監視効果を表す第２のスコアが規定値未満の小領域、を順次選択する選択手段と、
前記選択手段が選択した小領域と、該小領域についてユーザが設定した前記第１のスコアと、に基づく前記マップ上の位置を、該マップ上におけるカメラの配置位置として特定する特定手段と、
前記配置位置におけるカメラの視界範囲内に属する各小領域の前記第１のスコアに対して、該配置位置における前記第１の監視効果を表す前記第１のスコアを加算する第１の設定手段と、
前記配置位置におけるカメラの視界範囲内に属する各小領域の前記第２のスコアに対して、該配置位置における前記第２の監視効果を表す前記第２のスコアを加算する第２の設定手段と、
前記第１のスコアが規定値未満である小領域の前記選択手段による選択順ごとに前記特定手段によって特定される前記マップ上におけるカメラの配置レイアウトのうち１以上を、前記第１の設定手段および前記第２の設定手段によって決定した前記マップにおける各小領域の前記第１のスコア及び前記第２のスコアに基づいて選択して出力する出力手段と
を備えることを特徴とする。
【手続補正書】
【提出日】令和1年5月23日(2019.5.23)
【手続補正１】
【補正対象書類名】特許請求の範囲
【補正対象項目名】全文
【補正方法】変更
【補正の内容】
【特許請求の範囲】
【請求項１】
外周面に複数種類の図柄が配列された複数のリールと、
小役を含む複数種類の役の当否を決定する内部抽選を行う内部抽選手段と、
前記複数のリールを遊技毎に回転させ、停止操作を契機として、内部抽選の結果に応じた態様で回転中のリールを停止させる制御を行うリール制御手段と、
前記複数のリールが停止した状態で、役毎に予め定められた入賞形態を示す図柄組合せが有効ライン上に表示されていることに基づいて、役が入賞したと判定する入賞判定手段と、
前記小役が入賞したことに基づいて、入賞した前記小役に応じて遊技媒体を払い出すための制御を行う払出制御手段と、
演出状態が変動不可能な通常区間と演出状態が変動可能な有利区間とを設定可能であって、通常区間において特定抽選に当選したことに基づいて有利区間を開始させ、通常区間または有利区間において特定抽選に当選したことに基づいて、演出状態をＡＴ状態に変動させ、有利区間において遊技媒体の投入数および払出数に基づいてクリアカウンタの値を更新し、クリアカウンタの値がしきい値に達した場合には滞在している演出状態に関わらずに所定の初期化処理を実行して通常区間に復帰させる特典付与手段と、
前記ＡＴ状態において特定小役を含む特定当選態様が得られた場合に当該特定小役の入賞を補助する入賞補助演出を演出装置に実行させる制御を行う演出制御手段と、
前記有利区間に滞在していることを報知する有利区間報知を行うための区間表示器と、を備え、
前記特典付与手段が、
前記通常区間では一定の当選確率で前記特定抽選を行う一方で、前記有利区間では前記特定抽選の当選確率を変動可能とすることを特徴とする遊技機。
【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
被検体に撮像を行って得られた第１の三次元画像と、前記被検体に前記第１の三次元画像が得られた撮像とは異なる撮像を行って得られた第２の三次元画像とを取得する画像取得部と、
前記第１の三次元画像と前記第２の三次元画像の間の前記被検体の変形情報を取得する変形情報取得部と、
前記第１の三次元画像から第１の断面画像を生成し、前記第２の三次元画像から第２の断面画像を生成する断面画像生成部と、
前記第１の断面画像における注目位置を取得する注目位置取得部と、
前記変形情報に基づいて、前記第２の三次元画像において前記注目位置に対応する対応位置を取得する対応位置取得部と、
前記第１の断面画像および前記第２の断面画像の表示部への表示を制御する表示制御部と、
を有し、
前記断面画像生成部は、前記第２の断面画像として前記対応位置を含む断面画像を生成する
ことを特徴とする画像処理装置。
【請求項２】
前記表示制御部は、前記第１の断面画像における前記注目位置と、前記第２の断面画像における前記対応位置の、前記表示部の画面における上下または左右の位置を揃えて表示する
ことを特徴とする請求項１に記載の画像処理装置。
【請求項３】
被検体に撮像を行って得られた第１の三次元画像と、前記被検体に前記第１の三次元画像が得られた撮像とは異なる撮像を行って得られた第２の三次元画像とを取得する画像取得部と、
前記第１の三次元画像と前記第２の三次元画像の間で対応する点群に関する情報を取得する対応位置取得部と、
前記第１の三次元画像から第１の断面画像を生成し、前記第２の三次元画像から第２の断面画像を生成する断面画像生成部と、
前記第１の三次元画像における前記点群の一つを注目位置として取得する注目位置取得部と、
前記点群に関する情報に基づいて、前記第２の三次元画像において前記注目位置に対応する対応位置を取得する対応位置取得部と、
前記第１の断面画像および前記第２の断面画像の表示部への表示を制御する表示制御部と、
を有し、
前記断面画像生成部は、前記第１の断面画像として前記注目位置を含む断面画像を生成し、前記第２の断面画像として前記対応位置を含む断面画像を生成し、
前記表示制御部は、前記表示部の画面における、前記対応位置の調整後の位置が、前記注目位置の調整前の位置と、上下または左右の位置が揃うように、前記第２の断面画像の位置を調整して表示する
ことを特徴とする画像処理装置。
【請求項４】
前記断面画像生成部は、前記第２の断面画像として、直交断面画像および、前記第１の断面画像に対応する任意断面における任意断面画像を生成し、
前記表示制御部は、前記第２の断面画像として、前記直交断面画像と前記任意断面画像を同時にまたは切り替えて表示する
ことを特徴とする請求項１ないし３のいずれか１項に記載の画像処理装置。
【請求項５】
前記断面画像生成部は、前記第２の断面画像として直交断面画像を生成するとともに、第３の断面画像として、前記注目位置を含み前記直交断面画像に対応する任意断面における任意断面画像を前記第１の三次元画像から生成し、
前記表示制御部は、前記第３の断面画像と前記第２の断面画像とを表示する
ことを特徴とする請求項１ないし３のいずれか１項に記載の画像処理装置。
【請求項６】
前記任意断面画像は、前記任意断面に沿った曲断面の画像または、前記任意断面を平面で近似した断面の画像である
ことを特徴とする請求項４または５に記載の画像処理装置。
【請求項７】
ユーザからの入力を受ける操作部をさらに有する
ことを特徴とする請求項１ないし６のいずれか１項に記載の画像処理装置。
【請求項８】
前記操作部は、前記注目位置の入力を受け付ける
ことを特徴とする請求項７に記載の画像処理装置。
【請求項９】
前記表示制御部は、前記操作部から入力された情報に基づいて、前記表示部に同時に表示される画像の枚数および組み合わせが異なる複数の表示モードを切り替える
ことを特徴とする請求項７または８に記載の画像処理装置。
【請求項１０】
前記第１の三次元画像を前記第２の三次元画像に合わせて変形させた第１の変形画像、および、前記第２の三次元画像を前記第１の三次元画像に合わせて変形させた第２の変形画像を、前記変形情報に基づいて生成する変形画像生成部をさらに有し、
前記表示制御部は、前記第１の三次元画像、前記第２の三次元画像、前記第１の変形画像、および、前記第２の変形画像の前記表示部への表示を制御する
ことを特徴とする請求項１ないし９のいずれか１項に記載の画像処理装置。
【請求項１１】
前記第１の三次元画像と前記第２の三次元画像は、モダリティおよび撮像時期の少なくともいずれかが異なる
ことを特徴とする請求項１ないし１０のいずれか１項に記載の画像処理装置。
【請求項１２】
被検体に撮像を行って得られた第１の三次元画像と、前記被検体に前記第１の三次元画像が得られた撮像とは異なる撮像を行って得られた第２の三次元画像とを取得する画像取得ステップと、
前記第１の三次元画像と前記第２の三次元画像の間の前記被検体の変形情報を取得する変形情報取得ステップと、
前記第１の三次元画像から第１の断面画像を生成し、前記第２の三次元画像から第２の断面画像を生成する断面画像生成ステップと、
前記第１の断面画像における注目位置を取得する注目位置取得ステップと、
前記変形情報に基づいて、前記第２の三次元画像において前記注目位置に対応する対応位置を取得する対応位置取得ステップと、
前記第１の断面画像および前記第２の断面画像の表示部への表示を制御する表示制御ステップと、
を有し、
前記断面画像生成ステップでは、前記第２の断面画像として前記対応位置を含む断面画像を生成する
ことを特徴とする画像処理方法。
【請求項１３】
被検体に撮像を行って得られた第１の三次元画像と、前記被検体に前記第１の三次元画像が得られた撮像とは異なる撮像を行って得られた第２の三次元画像とを取得する画像取得ステップと、
前記第１の三次元画像と前記第２の三次元画像の間で対応する点群に関する情報を取得する対応位置取得ステップと、
前記第１の三次元画像から第１の断面画像を生成し、前記第２の三次元画像から第２の断面画像を生成する断面画像生成ステップと、
前記第１の三次元画像における前記点群の一つを注目位置として取得する注目位置取得ステップと、
前記点群に関する情報に基づいて、前記第２の三次元画像において前記注目位置に対応する対応位置を取得する対応位置取得ステップと、
前記第１の断面画像および前記第２の断面画像の表示部への表示を制御する表示制御ステップと、
を有し、
前記断面画像生成ステップでは、前記第１の断面画像として前記注目位置を含む断面画像を生成し、前記第２の断面画像として前記対応位置を含む断面画像を生成し、
前記表示制御ステップは、前記表示部の画面における、前記対応位置の調整後の位置が、前記注目位置の調整前の位置と、上下または左右の位置が揃うように、前記第２の断面画像の位置を調整して表示する
ことを特徴とする画像処理方法。
【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
被検体に撮像を行って得られた第１の画像と、前記被検体に前記第１の画像が得られた撮像とは異なる撮像を行って得られた第２の画像とを取得する画像取得部と、
前記第１の画像と前記第２の画像における前記被検体の変形情報を取得する変形情報取得部と、
前記第１の画像を前記第２の画像に合わせて変形させた第１の変形画像、および、前記第２の画像を前記第１の画像に合わせて変形させた第２の変形画像を、前記変形情報に基づいて生成する変形画像生成部と、
前記第１の画像、前記第２の画像、前記第１の変形画像に基づく画像、および、前記第２の変形画像に基づく画像の表示部への表示を制御する表示制御部と、
を有することを特徴とする画像処理装置。
【請求項２】
前記第１の変形画像に基づく画像は、前記第１の変形画像自体、または、前記第２の画像に前記第１の変形画像を重畳した画像、または、前記第２の画像と前記第１の変形画像の差分画像であり、
前記第２の変形画像に基づく画像は、前記第２の変形画像自体、または、前記第１の画像に前記第２の変形画像を重畳した画像、または、前記第１の画像と前記第２の変形画像の差分画像である
ことを特徴とする請求項１に記載の画像処理装置。
【請求項３】
前記表示制御部は、前記第１の画像、前記第２の画像、前記第１の変形画像に基づく画像、および、前記第２の変形画像に基づく画像を前記表示部に同時に、または、所定の枚数ずつ切り替えて表示する
ことを特徴とする請求項１または２に記載の画像処理装置。
【請求項４】
前記変形情報は、前記第１の画像と前記第２の画像における前記被検体の形状の対応を示す
ことを特徴とする請求項１ないし３のいずれか１項に記載の画像処理装置。
【請求項５】
前記変形情報は、前記第２の画像における前記被検体の単位領域に対応する、前記第１
の画像における前記被検体の位置を表す変位ベクトルで構成される、変形場の情報であることを特徴とする請求項４に記載の画像処理装置。
【請求項６】
前記変形画像生成部は、前記変形情報に基づいて、前記第１の画像における前記被検体を前記第２の画像における前記被検体の形状に合わせて変形させて第１の変形画像を生成し、前記第２の画像における前記被検体を前記第１の画像における前記被検体の形状に合わせて変形させて第２の変形画像を生成する
ことを特徴とする請求項４または５に記載の画像処理装置。
【請求項７】
前記表示制御部は、前記表示部において、前記第１の画像、前記第２の画像、前記第１の変形画像に基づく画像、および、前記第２の変形画像に基づく画像を、２×２のタイル状に配置する
ことを特徴とする請求項１ないし６のいずれか１項に記載の画像処理装置。
【請求項８】
前記表示制御部は、前記表示部において、前記第１の画像および前記第２の画像を対角線上に配置する
ことを特徴とする請求項７に記載の画像処理装置。
【請求項９】
前記第１の画像および前記第２の画像は三次元画像であり、
前記表示制御部は、前記第１の画像、前記第２の画像、前記第１の変形画像に基づく画像、および、前記第２の変形画像に基づく画像において、対応する断面の断面画像を前記表示部に表示する
ことを特徴とする請求項１ないし８のいずれか１項に記載の画像処理装置。
【請求項１０】
前記表示制御部は、前記被検体における前記断面画像の向きと、前記変形情報と、の少なくともいずれかに応じて、前記表示部における前記第１の画像、前記第２の画像、前記第１の変形画像に基づく画像、および、前記第２の変形画像に基づく画像を配置する位置を制御する
ことを特徴とする請求項９に記載の画像処理装置。
【請求項１１】
ユーザからの入力を受ける操作部をさらに有する
ことを特徴とする請求項９または１０に記載の画像処理装置。
【請求項１２】
前記変形画像生成部は、前記操作部から入力された情報に基づいて前記断面画像の位置を変更する
ことを特徴とする請求項１１に記載の画像処理装置。
【請求項１３】
前記変形画像生成部は、前記操作部から入力された情報に基づいて、前記第１の画像における注目位置と、前記第２の画像における前記注目位置への対応位置を取得し、前記注目位置と前記対応位置の情報を用いて前記第１の変形画像および前記第２の変形画像を生成する
ことを特徴とする請求項１１または１２に記載の画像処理装置。
【請求項１４】
前記表示制御部は、前記注目位置を示す情報を前記第１の画像および前記第２の変形画像に基づく画像に重ねて表示し、前記対応位置を示す情報を前記第２の画像および前記第１の変形画像に基づく画像に重ねて表示する
ことを特徴とする、請求項１３に記載の画像処理装置。
【請求項１５】
前記表示制御部は、前記操作部から入力された情報に基づいて、前記表示部に同時に表示される画像の枚数および組み合わせが異なる複数の表示モードを切り替える
ことを特徴とする請求項１１ないし１４のいずれか１項に記載の画像処理装置。
【請求項１６】
前記第１の画像と前記第２の画像は、モダリティまたは撮像時期の少なくともいずれかが異なる
ことを特徴とする請求項１ないし１５のいずれか１項に記載の画像処理装置。
【請求項１７】
被検体に撮像を行って得られた第１の画像と、前記被検体に前記第１の画像が得られた撮像とは異なる撮像を行って得られた第２の画像とを取得するステップと、
前記第１の画像と前記第２の画像における前記被検体の変形情報を取得するステップと、
前記第１の画像を前記第２の画像に合わせて変形させた第１の変形画像、および、前記第２の画像を前記第１の画像に合わせて変形させた第２の変形画像を、前記変形情報に基づいて生成するステップと、
前記第１の画像、前記第２の画像、前記第１の変形画像に基づく画像、および、前記第２の変形画像に基づく画像の表示を制御するステップと、
を有することを特徴とする画像処理方法。
【請求項１８】
被検体にそれぞれ異なる撮像を行って得られた複数の画像を取得する画像取得部と、
前記複数の画像間における前記被検体の変形情報を取得する変形情報取得部と、
前記複数の画像のそれぞれを他の画像に合わせて変形させた複数の変形画像を、前記変形情報に基づいて生成する変形画像生成部と、
前記複数の画像、および、前記複数の変形画像に基づく画像の表示部への表示を制御する表示制御部と
を有することを特徴とする画像処理装置。
【請求項１９】
前記表示制御部は、前記表示部において、ｉ番目の画像をタイル状配置の対角位置（ｉ，ｉ）に表示し、ｉ番目の画像をｊ番目の画像に合わせて変形させた変形画像に基づく画像をタイル状配置の位置（ｉ，ｊ）に表示する
ことを特徴とする請求項１８に記載の画像処理装置。
【手続補正書】
【提出日】令和1年6月11日(2019.6.11)
【手続補正１】
【補正対象書類名】明細書
【補正対象項目名】００３１
【補正方法】変更
【補正の内容】
【００３１】
実施例１  大腸癌由来の初代培養物の作製
手術時に癌組織を切除し、生理食塩水で３回洗浄し、PBS中１％ Antibiotic-Antimycoticで３回洗浄した。洗浄した癌組織を、剪刀を用いて細断した。肉眼的に組織塊が見えなくなり、１０ｍＬピペットで吸引可能なサイズ（直径１ｍｍ以下）まで細断した。細切した組織片を５０ｍＬファルコンチューブへ回収し、コラゲナーゼ（１ｍｇ／ｍｌ）（C6885;Sigma‐Aldrich, St. Louis, MO, USA）１０ｍＬを加え、シェーカー（Bio Shakor,BR−13FP）にて、３７℃、２００ｒｐｍで１５分間反応させた。
【手続補正２】
【補正対象書類名】明細書
【補正対象項目名】００４０
【補正方法】変更
【補正の内容】
【００４０】
実施例３  様々な癌組織からの初代細胞培養物の作製
手術時に採取または生検により胃癌、膵癌、肝臓癌、肺癌、腎癌、乳癌の組織から採取した試料を用いて、実施例１と同様にして初代培養物を得た。胃癌由来の初代培養物を図３の左上パネルに、膵癌由来の初代培養物を図３の右上パネルに、肝臓癌由来の初代培養物を図３の左下パネルにそれぞれ示す。肺癌由来の初代培養物を図４の左上パネルに、腎癌由来の初代培養物を図４の右上パネルに、乳癌由来の初代培養物を図４の左下パネルにそれぞれ示す。本発明の方法を用いて様々な種類の癌組織から初代細胞を得られることが示された。
【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
プロセッサとメモリとを備えるコンピュータにおいて実行されるゲームプログラムであって、
前記プロセッサに、
ゲーム内で使用することで追加コンテンツをユーザに利用可能とする、有効期限が設定されたゲーム内アイテムをユーザに付与するステップと、
前記ゲームプログラムの起動時に、有効期限が所定期間内である前記ゲーム内アイテムがある場合に、有効期限が所定期間内である前記ゲーム内アイテムがあることを表示するステップとを実行させる、ゲームプログラム。
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
入賞口を開閉する開閉部材を含む入賞手段を備え、
前記入賞口が開状態のときに上流側からの遊技球が前記入賞口に入賞し、前記入賞口が閉状態のときに上流側からの遊技球を前記開閉部材上を経て左右方向の一方側に流下させる
遊技機において、
前記開閉部材上の遊技球の流下方向とは反対側から前記開閉部材上又はその近傍に遊技球を流下させる流下案内手段を備え、
前記開閉部材は該開閉部材上の遊技球が流下する左右方向の一方側へと傾斜しており、  前記流下案内手段は前記開閉部材上又はその近傍への遊技球の流下側に、前記開閉部材の傾斜方向と反対向きに傾斜する傾斜部を備えた
ことを特徴とする遊技機。
【手続補正２】
【補正対象書類名】明細書
【補正対象項目名】０００５
【補正方法】変更
【補正の内容】
【０００５】
本発明は、入賞口を開閉する開閉部材を含む入賞手段を備え、前記入賞口が開状態のときに上流側からの遊技球が前記入賞口に入賞し、前記入賞口が閉状態のときに上流側からの遊技球を前記開閉部材上を経て左右方向の一方側に流下させる遊技機において、前記開閉部材上の遊技球の流下方向とは反対側から前記開閉部材上又はその近傍に遊技球を流下させる流下案内手段を備え、前記開閉部材は該開閉部材上の遊技球が流下する左右方向の一方側へと傾斜しており、前記流下案内手段は前記開閉部材上又はその近傍への遊技球の流下側に、前記開閉部材の傾斜方向と反対向きに傾斜する傾斜部を備えたものである。
【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
遊技テーブルでＲＦＩＤタグが内蔵された遊技用代用貨幣を賭けて行われるゲームにおける不正を検知する不正検知システムであり、
前記遊技テーブルにおいて各ゲームの勝敗結果を判定する勝敗判定装置と、
前記遊技テーブルにおいて前記遊技用代用貨幣を保持するチップトレイと、
前記遊技テーブル上に置かれた前記遊技用代用貨幣を含む前記ゲームの状態を撮像して撮像データを生成する撮像装置と、
前記撮像装置が生成した前記撮像データを記録する記録装置と、
前記チップトレイに収容された遊技用代用貨幣の前記ＲＦＩＤタグを読み取って読取結果を出力する読取装置と、
管理制御装置と、を備え、
前記管理制御装置は、
前記読取装置からの前記読取結果に基づいて、前記チップトレイにおける遊技用代用貨幣の総額を特定する第１チップ特定機能と、
前記撮像装置からの前記撮像データ又は前記読取装置からの前記読取結果に基づいて、前記遊技テーブル上の前記遊技用代用貨幣の位置と金額とを特定する第２チップ特定機能と、
前記勝敗判定装置から得た勝敗結果及び遊戯用代用貨幣の位置と金額と枚数の測定結果を用いて前記遊技テーブルにおけるカジノ側の収支計算を各ゲームごとに行う計算機能を備え、前記遊技テーブルにおけるカジノ側の収支計算結果とチップトレイにおける遊戯用代用貨幣の総額とを把握することで、各ゲームにおいて遊戯用代用貨幣の回収又は償還に不正やミスがあったことを判定する機能と、
を有し、
前記記録装置は、前記管理制御装置にて前記回収不正又は前記償還不正があると判定された当該ゲームを特定可能な方法で当該ゲームの前記撮像データを記録する、遊技用代用貨幣の管理システム。
【請求項２】
前記遊技テーブルで行われるゲームはバカラゲームであり、
前記勝敗判定装置はバカラゲームで使用するカード配布装置である、請求項１に記載の遊技用代用貨幣の管理システム。
【請求項３】
前記ＲＦＩＤは遊技用代用貨幣の製造時点で構成される、請求項１または２に記載の遊技用代用貨幣の管理システム。
【請求項４】
遊技テーブルで用いられる、ＩＤが付された遊技用代用貨幣を管理する管理システムであり、
前記遊技テーブルにおいて各ゲームの勝敗結果を判定する勝敗判定装置と、
ディーラの前記遊技用代用貨幣を保管するチップトレイと、
前記遊技テーブル上に置かれた前記遊技用代用貨幣を撮像するカメラ装置と、
前記カメラ装置の撮像結果を分析することで、前記遊技用代用貨幣が少なくとも前記遊技テーブルのプレイヤ、バンカ、タイを含む各ベットエリアのいずれに置かれたかを判定する画像分析装置と、
前記遊技テーブル上の前記遊技用代用貨幣の前記ＩＤを読み取ることで、前記ベットエリアに置かれた前記遊技用代用貨幣の種類及び枚数を判定する第１の読取装置と、
前記チップトレイ内の前記遊技用代用貨幣の前記ＩＤを読み取ることで、チップトレイ内の前記遊技用代用貨幣の総額を判定する第２の読取装置と、
前記勝敗判定装置が判定した前記勝敗結果、前記画像分析装置及び前記第１の読取装置を用いて判定された、どの種類の前記遊技用代用貨幣を前記ベットエリアのプレイヤ、バンカ、タイのいずれに何枚賭けたかの情報、及び前記第２の読取装置が判定した、ゲームの清算前後の前記チップトレイにおける前記遊技用代用貨幣の総額に基づいて、不正やミスを検知する制御装置と、
を備えた、遊技用代用貨幣の管理システム。
【請求項５】
前記遊技テーブルで行われるゲームはバカラゲームであり、
前記勝敗判定装置はバカラゲームで使用するカード配布装置である、請求項４に記載の遊技用代用貨幣の管理システム。
【請求項６】
前記ＲＦＩＤは遊技用代用貨幣の製造時点で構成される、請求項４または５に記載の遊技用代用貨幣の管理システム。
【手続補正書】
【提出日】令和1年11月13日(2019.11.13)
【手続補正１】
【補正対象書類名】特許請求の範囲
【補正対象項目名】全文
【補正方法】変更
【補正の内容】
【特許請求の範囲】
【請求項１】
複合容器の製造方法において、
プラスチック材料製のプリフォームを準備する工程と、
前記プリフォームの外側に密着して、その全体が所定の色に着色されたプラスチック製部材を設ける工程と、
前記プリフォームおよび前記プラスチック製部材を加熱するとともにブロー成形金型内に挿入する工程と、
前記ブロー成形金型内で前記プリフォームおよび前記プラスチック製部材に対してブロー成形を施すことにより、前記プリフォームおよび前記プラスチック製部材を一体として膨張させる工程と、を備え、
前記プラスチック製部材が、樹脂材料と、着色剤とを含んでなり、
前記プラスチック製部材が、前記プリフォームに接着されることなく密着して設けられていることを特徴とする複合容器の製造方法。
【請求項２】
前記所定の色が、茶色、黒色、緑色、白色、青色または赤色であることを特徴とする請求項１に記載の複合容器の製造方法。
【請求項３】
前記着色剤が、光反射性着色剤および／または光吸収性着色剤であることを特徴とする請求項１または２に記載の複合容器の製造方法。
【請求項４】
前記光反射性着色剤は、チタンホワイト、アルミニウム粉、マイカ粉、硫化亜鉛、亜鉛華、炭酸カルシウム、カオリンおよびタルクからなる群より選択される光反射性顔料であることを特徴とする請求項３に記載の複合容器の製造方法。
【請求項５】
前記光吸収性着色剤は、カーボンブラック、セラミックブラックおよびボーンブラックからなる群より選択される光吸収性顔料であることを特徴とする請求項３または４に記載の複合容器の製造方法。
【請求項６】
複合プリフォームにおいて、
プラスチック材料製のプリフォームと、
前記プリフォームの外側を取り囲むように設けられ、その全体が所定の色に着色されたプラスチック製部材とを備え、
前記プラスチック製部材は、前記プリフォームの外側に密着されており、樹脂材料と、着色剤とを含んでなり、
前記プラスチック製部材が、前記プリフォームに接着されることなく密着して設けられていることを特徴とする複合プリフォーム。
【請求項７】
前記所定の色が、茶色、黒色、緑色、白色、青色または赤色であることを特徴とする請求項６に記載の複合プリフォーム。
【請求項８】
前記着色剤が、光反射性着色剤および／または光吸収性着色剤であることを特徴とする請求項６または７に記載の複合プリフォーム。
【請求項９】
前記光反射性着色剤は、チタンホワイト、アルミニウム粉、マイカ粉、硫化亜鉛、亜鉛華、炭酸カルシウム、カオリンおよびタルクからなる群より選択される光反射性顔料であることを特徴とする請求項８に記載の複合プリフォーム。
【請求項１０】
前記光吸収性着色剤は、カーボンブラック、セラミックブラックおよびボーンブラックからなる群より選択される光吸収性顔料であることを特徴とする請求項８または９に記載の複合プリフォーム。
【請求項１１】
複合容器において、
プラスチック材料製の容器本体と、
前記容器本体の外側に密着して設けられ、その全体が所定の色に着色されたプラスチック製部材とを備え、
前記容器本体および前記プラスチック製部材は、ブロー成形により一体として膨張され、
前記プラスチック製部材は、樹脂材料と、着色剤とを含んでなり、
前記プラスチック製部材が、前記容器本体に接着されることなく密着して設けられていることを特徴とする複合容器。
【請求項１２】
前記所定の色が、茶色、黒色、緑色、白色、青色または赤色であることを特徴とする請求項１１に記載の複合容器。
【請求項１３】
前記着色剤が、光反射性着色剤および／または光吸収性着色剤であることを特徴とする請求項１１または１２に記載の複合容器。
【請求項１４】
前記光反射性着色剤は、チタンホワイト、アルミニウム粉、マイカ粉、硫化亜鉛、亜鉛華、炭酸カルシウム、カオリンおよびタルクからなる群より選択される光反射性顔料であることを特徴とする請求項１３に記載の複合容器。
【請求項１５】
前記光吸収性着色剤は、カーボンブラック、セラミックブラックおよびボーンブラックからなる群より選択される光吸収性顔料であることを特徴とする請求項１３または１４に記載の複合容器。
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
操作に応じて回転あるいは直線移動する操作部と、
前記操作部が回転あるいは移動可能に挿通された挿通部を備えた軸受部と
を有し、
前記軸受部の前記操作部が位置する部分の外面に、第１の切断跡と第２の切断跡とが対向する位置に形成され、
前記軸受部は、ダイキャストで成形された操作装置。
【請求項２】
前記外面は円周面であり、
前記外面には、前記軸受部の中心軸との距離が、前記外面の径より短い平坦面が設けられ、
前記第１の切断跡と前記第２の切断跡とは前記平坦部に設けられている
請求項１に記載の操作装置。
【請求項３】
前記操作部の回転あるいは移動に応じた電気信号を出力する信号検出部
をさらに有する請求項１または２に記載の操作装置。
【請求項４】
前記操作部の一端を支持し、前記信号検出部を収容する固定部
を有し、
前記軸受部の一端には、前記固定部に固定される基部が設けられている
請求項３に記載の操作装置。
【請求項５】
操作に応じて回転あるいは直線移動する操作部が回転あるいは移動可能に挿通される挿通部を備えた軸受部の製造方法であって、
金型を構成する固定型と可動型とを型締めして形成されるキャビティ内に溶湯を供給して前記軸受部をダイカスト鋳造する際に、
前記キャビティ内の前記挿通部の外面を形成する位置に設けられた前記金型のゲート部から、前記溶湯を前記キャビティ内に流入する第１の工程と、
前記キャビティ内の前記溶湯を凝固させた後に、前記固定型と前記可動型とを離す第２の工程と
有し、
前記第１の工程は、前記挿通部の外面を形成する位置に設けられた前記金型のオーバーフロー部から、前記キャビティ内の溶湯を流出する軸受部製造方法。
【請求項６】
前記ゲート部及び前記オーバーフロー部は、前記軸受部の中心軸を中心として対向する位置に設けられている
請求項５に記載の軸受部製造方法。
【請求項７】
前記外面は円周面であり、
前記外面には、前記軸受部の中心軸との距離が、前記外面の径より短い平坦部が設けられ、
前記ゲート部及び前記オーバーフロー部は前記平坦部に設けられている
請求項５に記載の軸受部製造方法。
【手続補正２】
【補正対象書類名】明細書
【補正対象項目名】０００６
【補正方法】変更
【補正の内容】
【０００６】
上述した従来技術の問題点を解決し、上述した目的を達成するために、本発明の操作装置は、操作に応じて回転あるいは直線移動する操作部と、前記操作部が回転あるいは移動可能に挿通された挿通部を備えた軸受部とを有し、前記軸受部の前記操作部が位置する部分の外面に、第１の切断跡と第２の切断跡とが対向する位置に形成され、前記軸受部は、ダイキャストで成形されている。
【手続補正３】
【補正対象書類名】明細書
【補正対象項目名】０００８
【補正方法】削除
【補正の内容】
【手続補正４】
【補正対象書類名】明細書
【補正対象項目名】００１０
【補正方法】削除
【補正の内容】
【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
異なる条件で取得した複数のデータ群を、前記複数のデータ群に係る個々のデータの特徴に基づいてそれぞれ複数のグループに分割する分割手段と、
前記分割手段によって分割されたグループ間の統合適正度を算出する算出手段と、
前記算出手段によって算出された統合適正度に基づいて、前記分割されたグループを統合データグループとして統合する統合手段と、
前記統合手段によって統合された統合データグループからデータを抽出して、認識用の辞書を生成するための学習処理用のデータのセットを設定する設定手段と、
を有することを特徴とする情報処理装置。
【請求項２】
前記設定手段は、前記統合データグループのデータの数が所定値を超える場合に、当該統合データグループから一部のデータを抽出することを特徴とする請求項１に記載の情報処理装置。
【請求項３】
前記設定手段は、前記学習処理用のデータを転送する転送コストに基づいて前記統合データグループから抽出するデータを決定することを特徴とする請求項２に記載の情報処理装置。
【請求項４】
前記算出手段は、前記統合適正度として前記分割されたグループ間の類似度を算出することを特徴とする請求項１〜３の何れか１項に記載の情報処理装置。
【請求項５】
前記算出手段は、さらに前記複数のデータ群に係る属性情報に基づいて前記統合適正度を算出することを特徴とする請求項４に記載の情報処理装置。
【請求項６】
前記複数のデータ群は、それぞれ複数のカメラから取得した画像の特徴量であることを特徴とする請求項１〜５の何れか１項に記載の情報処理装置。
【請求項７】
前記分割手段は、前記データ群を用いて学習処理を行って辞書を生成することによって前記複数のグループに分割し、
前記算出手段は、前記生成した辞書に基づいた認識処理を行うことにより前記統合適正度を算出することを特徴とする請求項６に記載の情報処理装置。
【請求項８】
前記設定手段によって設定された学習処理用のデータのセットを用いて学習処理を行い、当該セットに係る辞書を生成する生成手段と、
前記生成手段によって生成された辞書を検証する検証手段と、
をさらに有することを特徴とする請求項１〜７の何れか１項に記載の情報処理装置。
【請求項９】
異なる条件で取得した複数のデータ群を、前記複数のデータ群に係る個々のデータの特徴に基づいてそれぞれ複数のグループに分割する分割工程と、
前記分割工程において分割されたグループ間の統合適正度を算出する算出工程と、
前記算出工程において算出された統合適正度に基づいて、前記分割されたグループを統合データグループとして統合する統合工程と、
前記統合工程において統合された統合データグループからデータを抽出して、認識用の辞書を生成するための学習処理用のデータのセットを設定する設定工程と、
を有することを特徴とする情報処理方法。
【請求項１０】
コンピュータを請求項１〜８の何れか１項に記載の情報処理装置の各手段として機能させるためのプログラム。
【手続補正２】
【補正対象書類名】明細書
【補正対象項目名】０００７
【補正方法】変更
【補正の内容】
【０００７】
本発明に係る情報処理装置は、異なる条件で取得した複数のデータ群を、前記複数のデータ群に係る個々のデータの特徴に基づいてそれぞれ複数のグループに分割する分割手段と、前記分割手段によって分割されたグループ間の統合適正度を算出する算出手段と、前記算出手段によって算出された統合適正度に基づいて、前記分割されたグループを統合データグループとして統合する統合手段と、前記統合手段によって統合された統合データグループからデータを抽出して、認識用の辞書を生成するための学習処理用のデータのセットを設定する設定手段と、を有することを特徴とする。